(57)【要約】      （修正有）【課題】ユーザが指定した領域に関係のあるシーンのみを再生することができ、ひいては、コンテンツデータの再生の利便性を向上することのできるコンテンツ再生装置及び方法を提供する。【解決手段】コンテンツ再生装置は、映像データと、前記映像データに基づいて表示される映像のシーン毎に変動する前記映像の一部の指定領域を示す領域情報とを含むコンテンツデータを再生するコンテンツ再生装置であって、ユーザが指定した前記映像の一部の領域であるユーザ領域を示す情報を取得するユーザ領域情報取得手段と、前記シーン毎に、前記ユーザ領域と前記指定領域が重なる場合には、そのシーンを再生すると判定し、前記ユーザ領域と前記指定領域が重ならない場合には、そのシーンを再生しないと判定する判定手段とを有する。【選択図】図２
2010193305.tif 000002
【特許請求の範囲】
【請求項１】
映像データと、前記映像データに基づいて表示される映像のシーン毎に変動する前記映像の一部の指定領域を示す領域情報とを含むコンテンツデータを再生するコンテンツ再生装置であって、
ユーザが指定した前記映像の一部の領域であるユーザ領域を示す情報を取得するユーザ領域情報取得手段と、
前記シーン毎に、
前記ユーザ領域と前記指定領域が重なる場合には、そのシーンを再生すると判定し、
前記ユーザ領域と前記指定領域が重ならない場合には、そのシーンを再生しないと判定する
判定手段と、
を有することを特徴とするコンテンツ再生装置。
【請求項２】
前記判定手段は、前記指定領域の中心位置が前記ユーザ領域に含まれる場合には、前記ユーザ領域と前記指定領域が重なると判定し、
前記指定領域の中心位置が前記ユーザ領域に含まれない場合には、前記ユーザ領域と前記指定領域が重ならないと判定する
ことを特徴とする請求項１に記載のコンテンツ再生装置。
【請求項３】
前記判定手段は、
前記指定領域と前記ユーザ領域との重なり量が所定量以上の場合には、前記ユーザ領域と前記指定領域が重なると判定し、
前記重なり量が前記所定量未満である場合には、前記ユーザ領域と前記指定領域が重ならないと判定する
ことを特徴とする請求項１に記載のコンテンツ再生装置。
【請求項４】
前記判定手段で再生すると判定されたシーンの総時間を表す情報を表示装置に出力する出力手段
を有することを特徴とする請求項１〜３のいずれか１項に記載のコンテンツ再生装置。
【請求項５】
ユーザにより設定されたシーンの総再生時間と前記判定手段で再生すると判定されたシーンの総時間とに基づいて、前記ユーザ領域のサイズを変更する変更手段
を有することを特徴とする請求項１〜４のいずれか１項に記載のコンテンツ再生装置。
【請求項６】
前記ユーザ領域情報取得手段は、複数のユーザ領域に関する情報を取得し、
前記判定手段は、シーン毎に、
前記複数のユーザ領域のいずれかと前記指定領域が重なる場合には、そのシーンを再生すると判定し、
前記複数のユーザ領域と前記指定領域が重ならない場合には、そのシーンを再生しないと判定する
ことを特徴とする請求項１〜５のいずれか１項に記載のコンテンツ再生装置。
【請求項７】
映像データと、前記映像データに基づいて表示される映像のシーン毎に変動する前記映像の一部の指定領域を示す領域情報とを含むコンテンツデータを再生するコンテンツ再生方法であって、
ユーザが指定した前記映像の一部の領域であるユーザ領域を示す情報を取得するステップと、
前記シーン毎に、前記ユーザ領域と前記指定領域が重なる場合には、そのシーンを再生すると判定し、
前記ユーザ領域と前記指定領域が重ならない場合には、そのシーンを再生しないと判定するステップとを有する
ことを特徴とするコンテンツ再生方法。
【発明の詳細な説明】
【技術分野】
【０００１】
本発明は、コンテンツ再生装置及び方法に関する。
【背景技術】
【０００２】
近年、映像（映像信号）として、ＨＤ（Ｈｉｇｈ  Ｄｅｆｉｎｉｔｉｏｎ）規格の映像（例えば、１９２０×１０８０ピクセルの映像）が一般的に用いられている。一方、放送方式として、高度衛星デジタル放送規格の映像を含むコンテンツデータの放送（高度衛星デジタル放送）のための方式が検討されている。高度衛星デジタル放送規格では、スーパーハイビジョン（ＳＨＶ）と呼ばれる７６８０×４３２０ピクセルの映像を含むコンテンツデータを放送すること（ＳＨＶ放送）が可能なため、更なる高精細化ならびに高機能化を実現することができる。また、このような放送方式において、映像全体（７６８０×４３２０ピクセルの映像；全体映像）をダウンコンバートして視聴する形態のほかに、映像の一部の領域を切り出して視聴する形態が検討されている。当該一部の領域は、例えば、放送局が指定した領域（局側画角；局側領域）やユーザ（視聴者）が任意に指定した領域（ユーザ画角；ユーザ領域）である。ユーザ領域は、ユーザが注目する領域であると考えられるため、「注目領域」と言うこともできる。このような映像を含むコンテンツデータは、記憶装置に記録され、後に再生されることがある。
【０００３】
従来、記憶装置に記録されたコンテンツデータ（映像を含むコンテンツデータ）を再生するコンテンツ再生装置において、映像の開始から終了までの時間の内、一部の時間帯のみを再生（ダイジェスト再生）する機能を有するコンテンツ再生装置がある。そのようなコンテンツ再生装置に関する技術は、例えば、特許文献１，２に開示されている。具体的には、特許文献１に開示の装置は、入力されたテキスト情報とコンテンツデータに含まれるシーン毎のインデクス情報と比較し、該テキスト情報に関連するシーンの時間帯を抽出する。そして、該テキスト情報に関連するシーンをダイジェスト再生する。特許文献２に開示の装置は、映像内でユーザが指定したシーンと類似のシーンを、指定したシーンの画像データに基づいて抽出する。そして、ユーザが指定したシーン及びその類似のシーンをダイジェスト再生する。
【先行技術文献】
【特許文献】
【０００４】
【特許文献１】特開２００３−３０９８１６号公報
【特許文献２】特開２００２−０４４５７３号公報
【発明の概要】
【発明が解決しようとする課題】
【０００５】
しかしながら、高度衛星デジタル放送で放送されたコンテンツデータをダイジェスト再生する際に、上述した従来技術を用いることは好ましくない。例えば、注目領域に関係のあるシーンをダイジェスト再生する際に、上述した従来技術を用いることは好ましくない。具体的には、特許文献１に開示の装置では、テキスト情報とインデクス情報が関連していれば、当該インデクス情報が注目領域以外の領域の映像によるものであっても、当該インデクス情報に対応するシーンを再生してしまう。即ち、注目領域とは無関係のシーンが再生されてしまう。また、コンテンツデータに含まれる映像は、対象となるフィールド全体を固定カメラ等で撮影した映像であることが想定される。そのため、特許文献２に開示の技術では、注目領域と関係があるか否かに関わらず、指定したシーンと類似のシーン（ほぼ全てのシーン）が再生されてしまう。注目領域と無関係のシーンの再生は、ユーザの意図とは異なるため、ユーザの不満の原因となり、好ましくない。
【０００６】
そこで、本発明は、ユーザが指定した領域に関係のあるシーンのみを再生することができ、ひいては、コンテンツデータの再生の利便性を向上することのできるコンテンツ再生装置及び方法を提供することを目的とする。
【課題を解決するための手段】
【０００７】
上述した課題を解決するために、本発明のコンテンツ再生装置は、
映像データと、前記映像データに基づいて表示される映像のシーン毎に変動する前記映像の一部の指定領域を示す領域情報とを含むコンテンツデータを再生するコンテンツ再生装置であって、
ユーザが指定した前記映像の一部の領域であるユーザ領域を示す情報を取得するユーザ領域情報取得手段と、
前記シーン毎に、前記ユーザ領域と前記指定領域が重なる場合には、そのシーンを再生すると判定し、
前記ユーザ領域と前記指定領域が重ならない場合には、そのシーンを再生しないと判定する判定手段とを有する
ことを特徴とする。
【発明の効果】
【０００８】
本発明によれば、ユーザが指定した領域に関係のあるシーンのみを再生することができ、ひいては、コンテンツデータの再生の利便性を向上することのできるコンテンツ再生装置及び方法を提供することができる。
【図面の簡単な説明】
【０００９】
【図１】図１は、実施例１に係るコンテンツ再生装置の概略構成を示すブロック図である。
【図２】図２は、実施例１に係る再生部分抽出部の構成例である。
【図３】図３は、ユーザ領域および局側領域の一例を示す図である。
【図４】図４は、録画されたコンテンツデータを再生する際の、実施例１に係るコンテンツ再生装置の処理を示すフローチャートである。
【図５】図５は、コンポーネント記述子の詳細を示す図である。
【図６】図６は、拡張形式イベント記述子のデータ構造の一例を示す図である。
【図７】図７は、局側領域情報の一例を示す図である。
【図８】図８は、再生スケジュール情報の一例を示す図である。
【図９】図９は、実施例２に係る再生部分抽出部の構成例である。
【図１０】図１０は、ユーザ領域のサイズを変更する際の、実施例２に係るコンテンツ再生装置の処理を示すフローチャートである。
【図１１】図１１は、サイズが変更されたユーザ領域の一例を示す図である。
【図１２】図１２は、サイズが変更されたユーザ領域の一例を示す図である。
【図１３】図１３は、複数のユーザ領域および局側領域の一例を示す図である。
【発明を実施するための形態】
【００１０】
以下、本発明の実施形態の具体的な実施例（実施例１〜３）について説明する。
【００１１】
＜実施例１＞
まず、実施例１に係るコンテンツ再生装置について、図面を参照して説明する。本実施例に係るコンテンツ再生装置は、映像データと、該映像データに基づいて表示される映像の一部の指定領域（局側領域）を示す局側領域情報とを含むコンテンツデータ（番組データ）を再生する。なお、局側領域は、放送局側が推薦する領域であるため、シーン毎に異なることが予想される。そこで、本実施例では、局側領域情報によって示される領域は、
映像のシーン毎に変動するものとする。
【００１２】
図１は、実施例１に係るコンテンツ再生装置１０１の概略構成を示すブロック図である。図１に示すように、コンテンツ再生装置１０１は、リモコン受信部１０２、制御部１０３、放送受信処理部１０４、録画・再生制御部１０５、コンテンツ記憶部１０６を備える。また、コンテンツ再生装置１０１は、コンテンツ判定部１０７、メモリ部１０８、再生部分抽出部１０９、ＤＥＭＵＸ（デマルチプレクサ）処理部１１０、映像処理部１１１、音声処理部１１２を備える。
【００１３】
リモコン受信部１０２は、リモコンからの赤外線などの信号（リモコンコード）を受信して制御部１０３に送信する。
【００１４】
制御部１０３は、リモコン受信部１０２からの信号を解析し、解析結果に応じたチャンネルへの選局などの処理命令を放送受信処理部１０４に送る。また、録画および再生に関する処理命令を録画・再生制御部１０５へ送る。
【００１５】
放送受信処理部１０４は、制御部１０３から指示されたチャンネルを選局し、当該チャンネルで放送されているコンテンツデータを受信する。そして、受信したコンテンツデータに対して、復調処理および誤り訂正処理を施す。受信したコンテンツデータを視聴する場合には、復調処理および誤り訂正処理によって生成されたＴＳ（Ｔｒａｎｓｐｏｒｔ  Ｓｔｒｅａｍ）信号（ＭＰＥＧ２−ＴＳ信号）をＤＥＭＵＸ処理部１１０に送信する。受信したコンテンツデータを録画する（コンテンツ記憶部１０６へ記録する）場合には、ＴＳ信号を録画・再生制御部１０５に送信する。
【００１６】
録画・再生制御部１０５は、制御部１０３より任意のチャンネルで放送されているコンテンツデータの録画指示を受けた場合に、コンテンツ記憶部１０６に当該コンテンツデータ（放送受信処理部１０４から送られるＴＳ信号）を記録する。また、制御部１０３より任意のコンテンツデータの再生指示を受けた場合には、コンテンツ記憶部１０６から当該コンテンツデータを読み出し、ＤＥＭＵＸ処理部１１０に送信する。
【００１７】
コンテンツ記憶部１０６には、録画するコンテンツデータが記録される。本実施例では、録画するコンテンツデータはユーザが選択する（録画選択する）ものとする。なお、コンテンツ記憶部１０６としては、誘電体メモリ、磁気ディスク、光磁気ディスクなどを適用すればよい。なお、コンテンツ記憶部１０６は、取り外し可能な記録媒体であってもよいし、外部機器に設けられていてもよい。
【００１８】
コンテンツ判定部１０７は、再生するコンテンツデータが局側領域に関する情報（局側領域情報）を有するコンテンツデータか否か（ＳＨＶ放送によるコンテンツデータか否か）を判定する。本実施例では、再生するコンテンツデータはユーザが選択する（再生選択する）ものとする。局側領域は、局側領域情報によって示される領域である。
【００１９】
メモリ部１０８は、再生するコンテンツデータがＳＨＶ放送によるものであり、ユーザが再生したい領域（ユーザ領域；注目領域）を指定した場合に、当該ユーザ領域を表す情報（ユーザ領域情報）を格納する。また、後述する再生部分抽出部１０９にて生成された再生時間などの再生スケジュール情報を格納する。
【００２０】
再生部分抽出部１０９は、映像の一部の領域（ユーザ領域）を切り出して再生する場合に、シーン毎に、ユーザ領域と局側指示領域との位置関係に基づいて、そのシーンを再生するか否かを判定する。ユーザ領域を表す情報（ユーザ領域情報）はメモリ部１０８に格納されている。局側領域を表す情報（局側領域情報）はＤＥＭＵＸ処理部１１０から取得
される。再生するシーンに関する情報は、再生スケジュール情報としてメモリ部１０８に格納される。
【００２１】
ＤＥＭＵＸ処理部１１０は、放送受信処理部１０４または録画・再生制御部１０５から出力されたコンテンツデータ（ＴＳ信号）を、当該コンテンツデータのパケットＩＤに従って、映像データ、音声データ、付加データに分離する。映像データ、音声データ、付加データは、それぞれ、映像処理部１１１、音声処理部１１２、録画・再生制御部１０５に送信される。
【００２２】
映像処理部１１１は、ＩＴＵ−Ｔ  Ｈ．２６４／ＩＳＯ／ＩＥＣ１４４９６−１０（ＭＰＥＧ−４ＡＶＣなど）で符号化された映像データを復号し、複合した映像データを表示装置に出力する。表示装置は、例えば、電子放出素子を有するディスプレイ、液晶ディスプレイ、プラズマディスプレイ、有機ＥＬディスプレイなどである。
【００２３】
音声処理部１１２は、ＭＰＥＧ−２  ＡＡＣなどで符号化された音声データを復号し、複合した音声データを音声出力装置に出力する。音声出力装置は、例えば、スピーカーなどである。
【００２４】
次に、再生部分抽出部１０９について詳しく説明する。
【００２５】
図２は、再生部分抽出部１０９の構成例である。再生部分抽出部１０９は、ユーザ領域情報取得部２０１、位置検出部２０２、領域比較部２０３、再生スケジュール生成部２０４で構成される。
【００２６】
図３は、ユーザ領域および局側領域の一例を示す図である。まず、ＳＨＶのピクセル座標情報を（Ｘ，Ｙ）とした場合に、映像（全体映像；受信映像）の左上の座標は（０，０）となり、右下の座標は（７６７９，４３１９）となる。また、局側領域の開始座標（左上の座標）を（Ｘｓｎ，Ｙｓｎ）、終了座標（右下の座標）を（Ｘｅｎ，Ｙｅｎ）とする。局側領域情報は、ＥＩＴ（Ｅｖｅｎｔ  Ｉｎｆｏｒｍａｔｉｏｎ  Ｔａｂｌｅ）などに挿入される拡張イベント記述子を用いて伝送することができる。また、ユーザが任意に指定することができるユーザ領域の開始座標を（Ｘｓ，Ｙｓ）、終了座標を（Ｘｅ，Ｙｅ）とする。
【００２７】
図３を用いて、図２の各機能について説明する。
【００２８】
ユーザ領域情報取得部２０１は、コンテンツデータの再生時にユーザがリモコンの十字キーおよび決定ボタンなどを用いて指定したユーザ領域の開始座標（Ｘｓ，Ｙｓ）および終了座標（Ｘｅ，Ｙｅ）をユーザ領域情報として検出・取得する。ユーザ領域情報取得部２０１がユーザ領域情報取得手段に相当する。
【００２９】
位置検出部２０２は、再生選択されたコンテンツデータのＥＩＴなどに挿入された拡張イベント記述子を抽出して、局側領域情報としてシーン毎の局側領域の開始座標（Ｘｓｎ，Ｙｓｎ）、終了座標（Ｘｅｎ，Ｙｅｎ）を検出・取得する。そして、局側領域の開始座標および終了座標から、局側領域の位置を算出する。本実施例では、局側領域の中心位置（座標（Ｘｃｎ,Ｙｃｎ））を局側領域の位置とする。
【００３０】
領域比較部２０３は、シーン毎に、ユーザ領域と局側領域の位置関係を把握し、当該位置関係を再生スケジュール生成部２０４に送信する。具体的には、ユーザ領域と局側領域が重なっているか否かを判定し、判定結果を再生スケジュール生成部２０４に送信する。本実施例では、ユーザ領域に局側領域の中心位置が含まれる場合に、ユーザ領域と局側領
域が重なっていると判定し、ユーザ領域に局側領域の中心位置が含まれない場合に、ユーザ領域と局側領域が重なっていないと判定する。
【００３１】
再生スケジュール生成部２０４は、シーン毎に、領域比較部２０３から入力された上記位置関係に応じて、そのシーンを再生するか否かを判定する。そして、再生するシーンを表す再生スケジュール情報を生成し、当該再生スケジュール情報をメモリ部１０８に格納する。本実施例では、ユーザ領域と局側領域とが重なっている場合に、そのシーンを再生すると判定し、ユーザ領域と局側領域とが重なっていない場合に、そのシーンを再生しないと判定する。そして、再生すると判定されたシーンのみを再生するための再生スケジュール情報が生成され、メモリ部１０８に格納される。再生スケジュール情報の詳細については後述する。なお、領域比較部２０３と再生スケジュール生成部２０４を併せたものが、判定手段に相当する。
【００３２】
次に、ＤＥＭＵＸ処理部１１０から出力される付加データについて説明する。
【００３３】
社団法人電波産業会（ＡＲＩＢ）の標準規格（ＡＲＩＢ  ＳＴＤ−Ｂ１０）で規定されているように、デジタル放送においては、映像、音声および番組に関する種々の情報をＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）データ内の各種テーブルを用いて送出することが可能である。
【００３４】
本実施例では、これらのテーブルのうち番組名、放送時刻、番組説明などの番組に関する情報を送るＥＩＴ（Ｅｖｅｎｔ  Ｉｎｆｏｒｍａｔｉｏｎ  Ｔａｂｌｅ）のコンポーネント記述子のコンポーネント種別（ｃｏｍｐｏｎｅｎｔ＿ｔｙｐｅ）を用いて、コンテンツの映像のフォーマット（映像フォーマット）がＳＨＶの映像フォーマット（ＳＨＶ映像フォーマット）であること、コンテンツデータに局側領域情報が含まれていることを伝送する。
【００３５】
図５は、コンポーネント記述子の詳細を示す図である。コンポーネント種別０ｘ００〜０ｘＣ０までは、現在規格化されている映像フォーマットのコンポーネント（映像コンポーネント）を示している。ＳＨＶ映像フォーマットは、ハイビジョン映像を超える高解像度の映像のフォーマットであり、現在は規格化されていない。本実施例では、映像フォーマットがＳＨＶ映像フォーマットであることならびに局側領域情報の有無を示すコンポーネント種別として、コンポーネント種別０ｘＥ１〜０ｘＦ３を用いる。
【００３６】
コンテンツが図３に示すような局側領域情報を含む場合には、局側領域情報は、ＥＩＴなどに挿入される拡張形式イベント記述子を用いて伝送される。拡張形式イベント記述子は、図６に示すようなデータ構造を有しており、局側領域情報はｉｔｅｍ＿ｄｅｓｃｒｉｐｔｉｏｎ＿ｃｈａｒに含まれる。本実施例では図７に示すように、局側領域のＸ方向の先頭アドレス（開始Ｘアドレス；Ｘｓｎ）と最終アドレス（終了Ｘアドレス；Ｘｅｎ）、及び、Ｙ方向の先頭アドレス（開始Ｙアドレス；Ｙｓｎ）と最終アドレス（終了Ｙアドレス；Ｙｅｎ）が伝送される。
【００３７】
次に、録画されたコンテンツデータを再生する際のコンテンツ再生装置１０１の処理（コンテンツ再生方法の一例）について説明する。図４は、録画されたコンテンツデータを再生する際のコンテンツ再生装置１０１の処理を示すフローチャートである。図４の処理は、ユーザが再生コンテンツデータを選択再生することで開始される。
【００３８】
まず、Ｓ４０１において、録画・再生制御部１０５が、選択されたコンテンツデータをコンテンツ記憶部１０６から抽出し、ＤＥＭＵＸ処理部１１０に送信する。ＤＥＭＵＸ処
理部１１０は、コンテンツデータを映像データ、音声データ、付加データに分離し、録画・再生制御部１０５へ戻す。その際、ＤＥＭＵＸ処理部１１０は、付加データのみをデコードする。そして、録画・再生制御部１０５が、デコードされた付加データをコンテンツ判定部１０７に送信する。コンテンツ判定部１０７は、受信したデータのＥＩＴのコンポーネント記述子からコンポーネントを識別するための情報（コンポーネント識別情報）を抽出する。そして、選択されたコンテンツデータの種別を判定し、局側領域情報を含むか否かを判定する。コンテンツデータが局側領域情報を含む場合には（Ｓ４０１：Ｙｅｓ）、Ｓ４０３に進み、局側領域情報を含まない場合には（Ｓ４０１：Ｎｏ）、Ｓ４０２に進む。
【００３９】
Ｓ４０２では、コンテンツデータが局側領域情報を含まないコンテンツデータであるため、録画・再生制御部１０５がコンテンツデータの（全体映像での）全編再生を準備し、処理を終了する。
【００４０】
Ｓ４０３では、録画・再生制御部１０５が、再生開始直後の画像（全体映像の１フレーム分の画像）をＤＥＭＵＸ処理部１１０に送信し、ＤＥＭＵＸ処理部１１０が当該画像を表す映像データ（映像信号）を映像処理部１１１へ送信してＳ４０４に進む。
【００４１】
Ｓ４０４では、録画・再生制御部１０５が、全体映像から一部の領域を切り出して再生するか否か（領域指定再生を行うか否か）のメッセージなどを表示装置に表示する。ユーザが不図示のリモコンなどを用いて領域（ユーザ領域）を指定した場合など、領域指定再生を行う旨の指示がなされた場合には、Ｓ４０５に進み、領域指定再生を行わない旨の指示がなされた場合には、Ｓ４０２に進む。
【００４２】
Ｓ４０２では、上述同様に、録画・再生制御部１０５がコンテンツの全編再生を準備し、処理を終了する。
【００４３】
Ｓ４０５では、ユーザ領域情報取得部２０１が、ユーザ領域情報として、ユーザ領域の開始アドレス（開始座標（Ｘｓ,Ｙｓ））、終了アドレス（終了座標（Ｘｅ,Ｙｅ））を検出・取得し、メモリ部１０８に格納する。そして、Ｓ４０６に進む。
【００４４】
Ｓ４０６以降の処理（Ｓ４０７〜Ｓ４１１の処理）では、再生部分抽出部１０９が、選択したコンテンツデータから再生部分（再生するシーン）の抽出を行う。具体的には、コンテンツデータの先頭（最初のシーン）から最後（最後のシーン）の間で、シーン毎に、そのシーンを再生するか否かを判定し、再生すると判定されたシーンの抽出を行う。以下、１シーンについての処理について説明する。
【００４５】
Ｓ４０７では、録画・再生制御部１０５が、選択されたコンテンツデータをコンテンツ記憶部１０６から抽出し、ＤＥＭＵＸ処理部１１０に送信する。ＤＥＭＵＸ処理部１１０は、コンテンツデータを映像データ、音声データ、付加データに分離し、録画・再生制御部１０５へ戻す。その際、ＤＥＭＵＸ処理部１１０は、付加データのみをデコードする。そして、録画・再生制御部１０５が、デコードされた付加データを位置検出部２０２に送信する。位置検出部２０２は、ＥＩＴの拡張形式イベント記述子から、処理対象のシーン（対象シーン）における、局側領域の開始アドレス（開始座標（Ｘｓｎ,Ｙｓｎ））およ
び終了アドレス（終了座標（Ｘｅｎ，Ｙｅｎ））を抽出する。そして、対象シーンにおける、局側領域の中心アドレス（中心座標（Ｘｃｎ，Ｙｃｎ）＝（（Ｘｅｎ−Ｘｓｎ）／２，（Ｙｅｎ−Ｙｓｎ）／２））を算出する。算出された中心アドレス（中心アドレス情報）は、タイムスタンプ情報（コンテンツ内の対象シーンの時間位置を表す情報）と共にメモリ部１０８に格納される。そして、Ｓ４０８に進む
【００４６】
Ｓ４０８では、ユーザ領域情報取得部２０１が、Ｓ４０５にてメモリ部１０８に格納したユーザ領域情報を抽出して領域比較部２０３に送信する。また、位置検出部２０２が、算出した局側領域の中心アドレス情報とタイムスタンプ情報を領域比較部２０３に送信する。領域比較部２０３は、ユーザ領域（ユーザ領域情報）と局側領域の位置（中心アドレス情報）を比較する。Ｘｓ＜Ｘｃｎ＜Ｘｅ、及び、Ｙｓ＜Ｙｃｎ＜Ｙｅを満たす場合、即ち、ユーザ領域内に局側領域の位置が含まれる場合には（Ｓ４０８：Ｙｅｓ）、Ｓ４０９に進む。Ｘｓ＜Ｘｃｎ＜Ｘｅ、または、Ｙｓ＜Ｙｃｎ＜Ｙｅの少なくともいずれかを満たさない場合、即ち、ユーザ領域内に局側領域の位置が含まれない場合は（Ｓ４０８：Ｎｏ）、Ｓ４１０へ進む。
【００４７】
Ｓ４０９、Ｓ４１０、Ｓ４１１では、再生スケジュール生成部２０４が、再生スケジュール情報を更新する。再生スケジュール情報は、録画・再生制御部１０５によってメモリ部１０８から取得され、再生スケジュール生成部２０４へ送られる。なお、本実施例では、以下で説明する情報を含まない状態を、再生スケジュール情報の初期状態とする。また、再生スケジュール情報は、対象シーンがコンテンツの一番初めのシーンであるときに作成され、メモリ部１０８に格納されるものであってもよい。
【００４８】
Ｓ４０９では、再生スケジュール生成部２０４が、タイムスタンプ情報、ユーザ領域情報、及び、中心アドレス情報と共に、対象シーンを再生するための情報を、再生スケジュール情報に書き加え、Ｓ４１１に進む。Ｓ４１０では、再生スケジュール生成部２０４が、タイムスタンプ情報、ユーザ領域情報、及び、中心アドレス情報と共に、対象シーンを再生しないための情報を、再生スケジュール情報に書き加え、Ｓ４１２に進む。
【００４９】
Ｓ４１１では、再生スケジュール生成部２０４は、再生時間Ｔ１にシーン間隔(本実施
例の場合は１シーンあたり１秒の間隔を有するものとする)だけ加算したものを、新たに
再生時間Ｔ１とし、再生スケジュール情報に書き加える。再生時間Ｔ１の初期値は０であり、Ｓ４１１でシーン間隔が加算された再生時間Ｔ１は、対象シーンまでの再生時間を表す。そして、録画・再生制御部１０５が再生スケジュール生成部２０４から再生スケジュール情報を取得し、メモリ部１０８に格納する。そして、Ｓ４１２に進む。
【００５０】
Ｓ４１２において、コンテンツデータが次のシーンを含む場合には（Ｓ４１２：Ｎｏ）、Ｓ４０７へ戻り、対象シーンがコンテンツデータ内の最後のシーンである場合には（Ｓ４１２：Ｙｅｓ）、Ｓ４１３へ進む。
【００５１】
Ｓ４１３では、録画・再生制御部１０５は、メモリ部１０８に格納された再生スケジュール情報から、再生時間Ｔ１を抽出し、再生時間Ｔ１を表す情報を表示装置に出力する（出力手段）。最終的な再生時間Ｔ１は、ユーザ領域内に局側領域の位置が含まれるシーン（再生すると判定されたシーン）の総時間に対応する。
【００５２】
なお、最終的にメモリ部１０８に格納される再生スケジュール情報は、例えば、図８のようになる。図８の例では、対象シーンを再生するか否かを再生有無情報で表している。具体的には、再生するシーンに対しては再生有無情報を「有」とし、再生しないシーンに対しては再生有無情報を「無」としている。
【００５３】
以上述べたように、実施例１に係るコンテンツ再生装置によれば、ＳＨＶ放送のコンテンツデータを再生する際に、ユーザが指定した領域に関係のあるシーン（ユーザの視聴したいシーン）のみを、再生（ダイジェスト再生）することができる。その結果、コンテンツデータの再生の利便性を向上することができる。
【００５４】
＜実施例２＞
次に、実施例２に係るコンテンツ再生装置について説明する。本実施例では、ユーザが、ユーザ領域のほかに、シーンの総再生時間を設定する場合（再生時間をＴ１からＴ２へ変更する場合）を想定する。なお、実施例２において、コンテンツ再生装置のブロック構成（図１）および録画されたコンテンツを再生する際の処理手順（図４）は基本的に同じであるため、説明を省略する。
【００５５】
本実施例に係る再生部分抽出部１０９の構成において、実施例１（図２）と異なる部分について図９を用いて説明する。
【００５６】
ユーザが再生時間Ｔ２を設定すると、ユーザ領域生成部９０１は、再生時間Ｔ２を表す情報を取得し、再生時間Ｔ２とメモリ部１０８に格納されている再生時間Ｔ１とに基づいて、ユーザ領域のサイズを変更する（変更手段）。そして、ユーザ領域の変更後の開始アドレス（Ｘｓ’,Ｙｓ’）、終了アドレス（Ｘｅ’,Ｙｅ’）をユーザ領域情報取得部２０１に送信する。ユーザ領域のサイズを変更する際のコンテンツ再生装置１０１の処理の流れ（コンテンツ再生方法の一例）について図１０のフローチャートを用いて説明する。図１０の処理はユーザが再生コンテンツ及びユーザ領域を設定後に再生時間をＴ１からＴ２に変更することで開始される。
【００５７】
Ｓ１００１では、ユーザ領域生成部９０１が、設定された再生時間Ｔ２とメモリ部１０８に格納されている再生時間Ｔ１を比較する。再生時間Ｔ２が再生時間Ｔ１よりも長い場合には（Ｓ１００１：Ｙｅｓ）、Ｓ１００２に進む。
【００５８】
Ｓ１００２以降の処理（Ｓ１００３〜Ｓ１００７の処理）は、ユーザ領域生成部９０１が、メモリ部１０８に格納された再生スケジュール情報において再生有無情報が「無」となっているシーン（非再生シーン）に対して、１シーンずつ行う。なお、本実施例では、Ｓ１００３〜Ｓ１００７の処理を時間的に早いシーンから順に行う。
【００５９】
Ｓ１００３では、ユーザ領域生成部９０１が、ユーザ領域の開始アドレス（Ｘｓ,Ｙｓ
）、終了アドレス（Ｘｅ,Ｙｅ）を、それぞれ、開始アドレス（Ｘｓ’,Ｙｓ’）、終了アドレス（Ｘｅ’,Ｙｅ’）に変更してメモリ部１０８に送信し、Ｓ１００４へ進む。例え
ば、変更後の開始アドレス（Ｘｓ’,Ｙｓ’）、終了アドレス（Ｘｅ’,Ｙｅ’）は、それぞれ、（Ｘｓ−１,Ｙｓ−１）、（Ｘｅ＋１,Ｙｅ＋１）である。
【００６０】
Ｓ１００４では、ユーザ領域情報取得部２０１がメモリ部１０８から変更されたユーザ領域情報を抽出して領域比較部２０３に送信する。また、位置検出部２０２がメモリ部１０８から抽出した非再生シーン（対象シーン）の局側領域の中心アドレス情報（Ｘｃｎ,
Ｙｃｎ）を領域比較部２０３に送信する。領域比較部２０３は、送信されたユーザ領域（ユーザ領域情報）と局側領域の位置（中心アドレス情報）を比較する。Ｘｓ’＜Ｘｃｎ＜Ｘｅ’、及び、Ｙｓ’＜Ｙｃｎ＜Ｙｅ’を満たす場合、即ち、ユーザ領域内に、局側領域の位置が含まれる場合には（Ｓ１００４：Ｙｅｓ）、Ｓ１００５に進む。Ｘｓ’＜Ｘｃｎ＜Ｘｅ’、及び、Ｙｓ’＜Ｙｃｎ＜Ｙｅ’の少なくともいずれかを満たさない場合、即ち、ユーザ領域内に、局側領域の位置が含まれない場合には、Ｓ１００７へ進む。
【００６１】
Ｓ１００５では、再生スケジュール生成部２０４が、対象シーンにおける再生有無情報を「無」から「有」に変更し、Ｓ１００６に進む。
【００６２】
Ｓ１００６では、再生スケジュール生成部２０４が、再生時間Ｔ１にシーン間隔(本実
施例の場合は１秒)だけ加算したものを、新たに再生時間Ｔ１とし、メモリ部１０８に格
納する。そして、Ｓ１００７に進む。
【００６３】
Ｓ１００７において、コンテンツデータが、対象シーンよりも時間的に後のシーンで、かつ、再生有無情報が「無」のシーンを含む場合には（Ｓ１００７：Ｎｏ）、Ｓ１００３へ戻る。対象シーンが、コンテンツデータ内の再生有無情報が「無」のシーンのうち、時間的に最後のシーンである場合には（Ｓ１００７：Ｙｅｓ）、Ｓ１００８に進む。
【００６４】
Ｓ１００８では、録画・再生制御部１０５が、メモリ部１０８に格納された再生スケジュール情報から、再生時間Ｔ１を抽出し、再生時間Ｔ１と再生時間Ｔ２を比較する。Ｔ１≧Ｔ２を満たした場合には（Ｓ１００８：Ｙｅｓ）、Ｓ１０１６へ進み、Ｔ１≧Ｔ２を満たしていない場合には（Ｓ１００８：Ｎｏ）、Ｓ１００２に戻る。
【００６５】
Ｓ１０１６では、図１１に示すように、長く設定された再生時間Ｔ２に適した領域（ユーザが設定した注目領域よりも大きい領域）の映像を表示し、フローを終了する。
【００６６】
一方、再生時間Ｔ２が再生時間Ｔ１よりも短い場合には（Ｓ１００１：Ｎｏ）、Ｓ１００９に進む。Ｓ１００９以降の処理（Ｓ１０１０〜Ｓ１０１４の処理）は、ユーザ領域生成部９０１が、メモリ部１０８に格納された再生スケジュール情報において再生有無情報が「有」となっているシーン（再生シーン）に対して、１シーンずつ行う。なお、本実施例では、Ｓ１０１０〜Ｓ１０１４の処理を時間的に早いシーンから順に行う。
【００６７】
Ｓ１０１０では、ユーザ領域生成部９０１が、ユーザ領域の開始アドレス（Ｘｓ,Ｙｓ
）、終了アドレス（Ｘｅ,Ｙｅ）を、それぞれ、開始アドレス（Ｘｓ’,Ｙｓ’）、終了アドレス（Ｘｅ’,Ｙｅ’）に変更してメモリ部１０８に送信し、Ｓ１０１１へ進む。例え
ば、変更後の開始アドレス（Ｘｓ’,Ｙｓ’）、終了アドレス（Ｘｅ’,Ｙｅ’）は、それぞれ、（Ｘｓ＋１,Ｙｓ＋１）、（Ｘｅ−１,Ｙｅ−１）である。
【００６８】
Ｓ１０１１では、ユーザ領域情報取得部２０１がメモリ部１０８から変更されたユーザ領域情報を抽出して領域比較部２０３に送信する。また、位置検出部２０２がメモリ部１０８から抽出した再生シーン（対象シーン）の局側領域の中心アドレス情報（Ｘｃｎ,Ｙ
ｃｎ）を領域比較部２０３に送信する。領域比較部２０３は、送信されたユーザ領域（ユーザ領域情報）と局側領域の位置（中心アドレス情報）を比較する。Ｘｓ’＜Ｘｃｎ＜Ｘｅ’、及び、Ｙｓ’＜Ｙｃｎ＜Ｙｅ’の少なくともいずれかを満たさない場合、即ち、ユーザ領域内に、局側領域の位置が含まれない場合には（Ｓ１０１１：Ｎｏ）、Ｓ１０１２に進む。Ｘｓ’＜Ｘｃｎ＜Ｘｅ’、及び、Ｙｓ’＜Ｙｃｎ＜Ｙｅ’を満たす場合、即ち、ユーザ領域内に、局側領域の位置が含まれる場合には（Ｓ１０１１：Ｙｅｓ）、Ｓ１０１４へ進む。
【００６９】
Ｓ１０１２では、再生スケジュール生成部２０４が、対象シーンにおける再生有無情報を「有」から「無」に変更し、Ｓ１０１３に進む。
【００７０】
Ｓ１０１３では、再生スケジュール生成部２０４が、再生時間Ｔ１をシーン間隔(本実
施例の場合は１秒)だけ減算したものを、新たに再生時間Ｔ１とし、メモリ部１０８に格
納する。そして、Ｓ１０１４に進む。
【００７１】
Ｓ１０１４において、コンテンツデータが、対象シーンよりも時間的に後のシーンで、かつ、再生有無情報が「有」のシーンを含む場合には（Ｓ１０１４：Ｎｏ）、Ｓ１０１０へ戻る。対象シーンが、コンテンツデータ内の再生有無情報が「有」のシーンのうち、時間的に最後のシーンである場合には（Ｓ１０１４：Ｙｅｓ）、Ｓ１０１５に進む。
【００７２】
Ｓ１０１５では、録画・再生制御部１０５が、メモリ部１０８に格納された再生スケジュール情報から、再生時間Ｔ１を抽出し、再生時間Ｔ１と再生時間Ｔ２を比較する。Ｔ１
≦Ｔ２を満たした場合には（Ｓ１０１５：Ｙｅｓ）、Ｓ１０１６へ進み、Ｔ１≦Ｔ２を満たしていない場合には（Ｓ１０１５：Ｎｏ）、Ｓ１００９に戻る。
【００７３】
Ｓ１０１６では、図１２に示すように、短く設定された再生時間Ｔ２に適した領域（ユーザが設定した注目領域よりも小さい領域）の映像を表示し、フローを終了する。
【００７４】
以上述べたように、実施例２に係るコンテンツ再生装置によれば、ＳＨＶ放送のコンテンツデータを再生する際に、ユーザの視聴したいシーンのみを、ユーザの空き時間に合わせて、再生（ダイジェスト再生）することができる。その結果、コンテンツデータの再生の利便性を向上することができる。
【００７５】
＜実施例３＞
次に、実施例３に係るコンテンツ再生装置について説明する。本実施例では、ユーザが複数の領域を指定する場合、即ち、ユーザ領域（ユーザが注目したい領域）が複数存在する場合について説明する。なお、実施例３において、コンテンツ再生装置のブロック構成（図１）は基本的に同じであるため、説明を省略する。以下、上述した実施例と異なる部分について説明する。
【００７６】
本実施例では、ユーザ領域情報取得部２０１は複数のユーザ領域に関する情報を取得する。また、本実施例では、再生部分抽出部１０９は、シーン毎に、複数のユーザ領域のそれぞれと局側領域との位置関係に基づいて、そのシーンを再生するか否かを判定する。具体的には、複数のユーザ領域のいずれかと局側領域が重なる場合には、そのシーンを再生すると判定し、複数のユーザ領域と局側領域が重ならない場合には、そのシーンを再生しないと判定する。
【００７７】
図１３は、複数のユーザ領域および局側領域の一例を示す図である。図１３の例では、ユーザ領域を２個としているが、ユーザ領域は３個以上であってもよい。図１３の例ではユーザ領域１の開始座標を（Ｘｓ１，Ｙｓ１）、終了座標を（Ｘｅ１，Ｙｅ１）とし、ユーザ領域２の開始座標を（Ｘｓ２，Ｙｓ２）、終了座標を（Ｘｅ２，Ｙｅ２）とする。
【００７８】
本実施例における、録画されたコンテンツデータを再生する際のコンテンツ再生装置１０１の処理の流れ（コンテンツ再生方法の一例）は、図４と基本的に同じであり、以下では、異なる部分のみを説明する。具体的には、Ｓ４０８の処理について説明する。
【００７９】
本実施例では、Ｓ４０８において、領域比較部２０３が、ユーザ領域１とユーザ領域２を、それぞれ、局側領域の中心アドレスと比較する。具体的には、Ｘｓ１＜Ｘｃｎ＜Ｘｅ１及びＹｓ１＜Ｙｃｎ＜Ｙｅ１、または、Ｘｓ２＜Ｘｃｎ＜Ｘｅ２及びＹｓ２＜Ｙｃｎ＜Ｙｅ２を満たす場合に、Ｓ４０９に進む。即ち、ユーザ領域１またはユーザ領域２のいずれかに、局側領域の位置が含まれる場合に、Ｓ４０９に進む。Ｘｓ１＜Ｘｃｎ＜Ｘｅ１またはＹｓ１＜Ｙｃｎ＜Ｙｅ１を満たさず、且つ、Ｘｓ２＜Ｘｃｎ＜Ｘｅ２またはＹｓ２＜Ｙｃｎ＜Ｙｅ２を満たさない場合に、Ｓ４１０に進む。即ち、ユーザ領域１とユーザ領域２のどちらにも局側領域の位置が含まれない場合に、Ｓ４１０に進む。
【００８０】
以上述べたように、この実施例３によれば、ユーザが注目する領域が複数ある場合にも、それに応じたシーンのみを抽出してダイジェスト再生することができ、ユーザの利便性を向上することができる。
【００８１】
以上述べたように、上述した実施例１〜３によれば、音声などから判別される盛り上がりとは無関係に、シーンを再生するか否かを判定する。具体的には、ユーザ領域と局側領域との位置関係に基づいて、シーンを再生するか否かを判定する。それにより、ユーザが
指定した領域に関係のあるシーンのみを再生することができる。その結果、コンテンツデータの再生の利便性を向上することができる。
【００８２】
なお、上記実施例では、局側領域の中心位置がユーザ領域に含まれる場合に、ユーザ領域と局側領域が重なっていると判定しているが、判定方法はこれに限らない。ユーザ領域が局側領域の少なくとも一部を含んでいる場合に、ユーザ領域と局側領域が重なっていると判定してもよい。そのように判定しても、上記実施例と同様の作用効果を得ることができる。但し、局側領域の中心位置がユーザ領域に含まれる場合には、ユーザ領域と局側領域との重なり量がある程度大きくなる。そのため、そのような場合にユーザ領域と局側領域が重なっていると判定すれば、ユーザ領域に関連するシーンをより確実に抽出することができる。
【００８３】
また、局側領域とユーザ領域との重なり量が所定量以上の場合には、ユーザ領域と局側領域が重なると判定し、重なり量が所定量未満である場合には、ユーザ領域と局側領域が重ならないと判定してもよい。そのように判定しても、上記実施例と同様の作用効果を得ることができる。なお、所定量は、ユーザ領域のサイズを基準とした量（ユーザ領域のサイズの６０％など）であってもよいし、ユーザ領域のサイズとは無関係の量（３００×２００など）であってもよい。
【００８４】
なお、本実施例では、局側領域の開始アドレスと終了アドレスの抽出を、コンテンツを選択再生する際に行うものとしたが、当該抽出はコンテンツを録画する際に行ってもよい。
【００８５】
なお、実施例１では、再生時間Ｔ１を表示装置に出力することにより、抽出されたシーンの総時間がどれくらいの長さなのかをユーザに把握させることができるが、再生時間Ｔ１は表示しなくてもよい。再生時間Ｔ１を表示しなくても、ユーザが指定した領域に関係のあるシーンのみを再生することができる。
【００８６】
なお、上記実施例では、ユーザ領域情報と局側領域情報を、それぞれ、ユーザ領域、局側領域の対角位置の座標としたが、ユーザ領域情報と局側領域情報はこれに限らない。例えば、ユーザ領域情報や局側領域情報は、全ての頂点の座標で表される情報であってもよい。
【００８７】
なお、上記実施例では、全体映像の一部の映像がダイジェスト再生される場合について説明したが、ユーザ領域に関係のあるシーンを全体映像でダイジェスト再生してもよい。
【００８８】
なお、上記実施例では、シーン間隔を１秒としたが、シーン間隔はこれに限らない。シーン間隔は、０．５秒であってもよいし、２秒や５秒であってもよい。シーン間隔はどのような値であってもよい。
【００８９】
なお、実施例２では、Ｔ２＞Ｔ１の場合に、変更後の開始アドレス、終了アドレスを、それぞれ、（Ｘｓ−１,Ｙｓ−１）、（Ｘｅ＋１,Ｙｅ＋１）としたが、変更後の開始アドレス、終了アドレスはこれに限らない。例えば、変更後の開始アドレス、終了アドレスを、それぞれ、（Ｘｓ−２,Ｙｓ−２）、（Ｘｅ＋２,Ｙｅ＋２）としてもよい。変更後の開始アドレス、終了アドレスを、それぞれ、（Ｘｓ,Ｙｓ）、（Ｘｅ＋１,Ｙｅ＋１）としてもよい。また、変更後の座標が全体映像の領域よりも外側に出てしまう場合には、変更可能な側（変更しても全体映像の領域外に出ない側）の座標のみを変更させればよい。Ｔ２＜Ｔ１の場合も同様である。
【符号の説明】
【００９０】
１０１  コンテンツ再生装置
１０９  再生部分抽出部
２０１  ユーザ領域情報取得部
２０２  位置検出部
２０３  領域比較部
２０４  再生スケジュール生成部
９０１  ユーザ領域生成部
【図１】
2010193305.tif 000003
【図２】
2010193305.tif 000004
【図３】
2010193305.tif 000005
【図４】
2010193305.tif 000006
【図５】
2010193305.tif 000007
【図６】
2010193305.tif 000008
【図７】
2010193305.tif 000009
【図８】
2010193305.tif 000010
【図９】
2010193305.tif 000011
【図１０】
2010193305.tif 000012
【図１１】
2010193305.tif 000013
【図１２】
2010193305.tif 000014
【図１３】
2010193305.tif 000015